(57)【要約】      （修正有）【課題】ベッド使用者の檻の中にいるような拘束感を解消して快適化し、くつろぎの個室的な和風生活空間が得られるようデザインされており、快適な居住環境が得られ、安全性、快適性は一段と向上するものとなり、充分に介護に専念できる介護環境が確保された低床介護ベッド構造を提供すること。【解決手段】低床介護ベッド構造であり、低床のベッド床２と、該ベッド床２の下側一側方から引き出され該ベッド床２とほぼ同型をなす可動式安全台３とを有し、落下防止柵４が設けられ、個室的和風生活空間が取得可能とされ、可動式安全台３は落下を防止する中間受け止め安全スペースとしての中間踊り場的機能部として構成され、介護環境の確保として前記可動式安全台３が前記ベッド床２下方へ収納可能として構成する。【選択図】図１
2005198797.tif 000002
【特許請求の範囲】
【請求項１】
介護者腰痛防止目的の最低必要高を有して形成された低床のベッド床と、該ベッド床の下側一側方から引き出され、前記ベッド床より一段低く形成された該ベッド床とほぼ同型をなす可動式安全台と、
を有し、
前記ベッド床における可動式安全台の引き出し側辺以外の三辺からは上方に立ち上がる襖または障子状にデザインされた落下防止柵が設けられ、該襖または障子状落下防止柵により個室的和風生活空間が取得可能とされ、
前記一段低く形成された可動式安全台は、ベッド使用者の前記ベッド床からズリ落ちあるいは転倒からの直接フロア面落下を防止する中間受け止め安全スペースとしての中間踊り場的機能部として構成され、かつ介護時には介護者の介護が阻害されず、介護専念できる介護環境の確保として前記可動式安全台が前記ベッド床下方へ収納可能として構成された、
ことを特徴とする低床介護ベッド構造。
【請求項２】
介護者腰痛防止目的の最低必要高を有して形成された低床のベッド床と、該ベッド床の下側一側方から引き出され、前記ベッド床より一段低く形成された該ベッド床とほぼ同型をなす可動式安全台と、
を有し、
前記ベッド床における可動式安全台の引き出し側辺以外の三辺からは上方に立ち上がる襖または障子状にデザインされた落下防止柵が設けられ、該襖または障子状落下防止柵により個室的和風生活空間が取得可能とされ、
前記一段低く形成された可動式安全台は、ベッド使用者の前記ベッド床からズリ落ちあるいは転倒からの直接フロア面落下を防止する中間受け止め安全スペースとしての中間踊り場的機能部として構成され、かつ介護時には介護者の介護が阻害されず、介護専念できる介護環境の確保として前記可動式安全台が前記ベッド床下方へ収納可能として構成され、
前記ベッド床の可動式安全台接続側側面長手方向略中間位置下側には、前記可動式安全台上に形成された走行路上を走行可能であると共に前記ベッド床の可動式安全台接続側側面を補強保持する補強脚兼用走行ローラが設けられてなり、
前記可動式安全台外側のフロア面には衝撃吸収マットが敷設可能としてある、  
ことを特徴とする低床介護ベッド構造。
【発明の詳細な説明】
【技術分野】
【０００１】
本発明は、介護ベッドに係り、特に可動式安全台付き低床介護ベッド構造に関するものである。
【背景技術】
【０００２】
従来、例えば特別養護老人ホーム等で使用される介護ベッドについては、要介護者（例えば６５歳以上で心身障害により要常時介護の人）が前記介護ベッドから落下することによる骨折事故あるいはそれ以上の事故を防止するため、前記介護ベッドのベッド床高さを可能な限り低くすることが提案されている。
【０００３】
しかしながら、介護ベッドのベッド床を低くする場合において、自ずから限界があり、介護者の腰痛防止の観点から、高さ約３８センチメートル程度までがその限度とされている。
【０００４】
しかし、この様な比較的低い高さのベッドであっても前記の要介護者すなわち、ベッド利用者が落下すると殆どの場合何らかの負傷を負ってしまうのが現状である。
【０００５】
よって、特に介護用ベッドについては、介護者の不在時にベッドの四方から立ち上がる落下防止用防護柵の常時装着が必要で、これを取り外すとの発想はなかなか生ずるものではなかった。
【０００６】
また、そもそも落下自体が生じないように、フロア面に直接マットを敷く方策も試用されたが（意匠登録番号第１０８９１２１号意匠登録公報参照）、介護者に生ずる腰痛の多発あるいはいわゆる大部屋の中でのフロア面に直接的に寝た状態とされることから生ずるベッド（マット）利用者のプライバシー感の低減性等の課題が生じて好ましいものではない。
【０００７】
さらに、従来、通常のベッドについては頭部側に、図４からも理解されるように、医療用ベッドについては、さらに足部側に落下防止用の柵（ボードの場合もある）に相当するものがある。そして、この場合追加でベッドの幅方向両サイドにも落下防止用の柵が立てられる様に構成されているのが常である。
【０００８】
しかし、通常、医療用ベッド及び介護用ベッドではコスト面や居室内（一般に４人から６人用）の省スペースからの課題もあって、一般にその大きさはシングルサイズほどの小型で、しかも鉄パイプ等の無機質な素材で形成せざるを得ないものである。
【０００９】
従って、介護用ベッドについては、該介護ベッドが数年あるいは数十年に亘っての生活空間となるにもかかわらず、快適感をもたらす生活家具的なベッドの構造ではなく、特にベッド四方を囲む様に設けられた落下防止用防護柵が、使用者にとっても、看者の側からしてもいわゆる檻のようなイメージがあり、ベッド使用者側は、絶えずある種の拘束感の中で暮らすことを強いられているとも言えるものであった。
【００１０】
これが医療用ベッドであれば、数週間・数ヶ月の滞在でしかも治療目的なので、それほど問題とするに当たらない。
また従来では、例えば、実開昭６３−１１５３６０号公報に示された二段ベッドも一般に知られている。しかしながら、これは、基本的に単に上下重層タイプのベッドであり、本発明のように、一人が使用する一段ベッドに、サイドベッド的可動式安全台を装着して、全体として一つの階段状としたベッドではない。
【００１１】
さらに、前記従来のベッドは下段ベッド床及びその上部にある上段ベッド床とからなり、下段ベッド床の下側に収納及び引き出しできる第三の可動式ベッド床をさらに有するものであり、この可動式第三のベッドを引き出したときは、全体として三段ベッドとなり、同時に三人が使用することを目的としたベッドである。しかも何れのベッド床もその四方の側辺から落下防止柵が形成されているのである。
【００１２】
よって、この二段ベッドは、本発明のように単独の使用者、特に要介護者が、前記下段ベッド床と、可動式第三のベッド床とを同時に使用できるように構成されてはおらず、また本発明における要介護者が安全にかつ快適に使用できるように設計された低床ベッドでもなく、単に省スペースを目的とした健常者用（主として子供・少年用）の重層型ベッドに過ぎないのである。
【００１３】
【特許文献１】実開昭６３−１１５３６０号公報
【発明の開示】
【発明が解決しようとする課題】
【００１４】
かくして本発明は前記従来の課題に対処すべく創案されたもので、本発明による低床介護ベッド構造は、可動式安全台付きの低床介護ベッドであり、介護者等の腰痛防止のために最低必要高に形成された低床のベッド床及びそのベッド床の一側方から引き出し、前記ベッド床より一段低い高さに形成された可動式安全台を有し、さらにはベッド床における可動式安全台の引き出し側辺以外の三辺からは上方に立ち上がる襖または障子状の落下防止柵が設けられるが、ベッド床の長手方向一側辺側の落下防止柵は取り外されて、ベッド使用者の檻の中にいるような拘束感、鉄格子的なイメージ感を解消して快適化し、また、落下防止柵を襖または障子状に形成することにより、介護用のベッドであっても決して殺伐とした景色にならず、ベッド使用者がくつろぎの個室的な和風生活空間が得られるようデザインされており、さらにはベッド使用者が例えば寝返りを打ったりしてベッド床の落下防止柵が無い方向へずれて転がったとしても、サイドに配置されているベッド状の可動式安全台はその転がりの際に生ずる衝撃を緩和する安全スペースすなわちベッド床からフロア面までの中間踊り場的役割を果たすものとなっており、また、いわゆるダブルベッド的なゆったり感も満喫できる快適な居住環境が得られ、ベッド使用者にとってその安全性、快適性は一段と向上するものとなり、かつ介護時には介護者の介護を阻害することなく、充分に介護に専念できる介護環境が確保された低床介護ベッド構造を提供することを目的とするものである。
【課題を解決するための手段】
【００１５】
本発明による低床介護ベッド構造は、
介護者腰痛防止目的の最低必要高を有して形成された低床のベッド床と、該ベッド床の下側一側方から引き出され、前記ベッド床より一段低く形成された該ベッド床とほぼ同型をなす可動式安全台と、
を有し、
前記ベッド床における可動式安全台の引き出し側辺以外の三辺からは上方に立ち上がる襖または障子状にデザインされた落下防止柵が設けられ、該襖または障子状落下防止柵により個室的和風生活空間が取得可能とされ、
前記一段低く形成された可動式安全台は、ベッド使用者の前記ベッド床からズリ落ちあるいは転倒からの直接フロア面落下を防止する中間受け止め安全スペースとしての中間踊り場的機能部として構成され、かつ介護時には介護者の介護が阻害されず、介護専念できる介護環境の確保として前記可動式安全台が前記ベッド床下方へ収納可能として構成された、
ことを特徴とし、
または、
介護者腰痛防止目的の最低必要高を有して形成された低床のベッド床と、該ベッド床の下側一側方から引き出され、前記ベッド床より一段低く形成された該ベッド床とほぼ同型をなす可動式安全台と、
を有し、
前記ベッド床における可動式安全台の引き出し側辺以外の三辺からは上方に立ち上がる襖または障子状にデザインされた落下防止柵が設けられ、該襖または障子状落下防止柵により個室的和風生活空間が取得可能とされ、
前記一段低く形成された可動式安全台は、ベッド使用者の前記ベッド床からズリ落ちあるいは転倒からの直接フロア面落下を防止する中間受け止め安全スペースとしての中間踊り場的機能部として構成され、かつ介護時には介護者の介護が阻害されず、介護専念できる介護環境の確保として前記可動式安全台が前記ベッド床下方へ収納可能として構成され、
前記ベッド床の可動式安全台接続側側面長手方向略中間位置下側には、前記可動式安全台上に形成された走行路上を走行可能であると共に前記ベッド床の可動式安全台接続側側面を補強保持する補強脚兼用走行ローラが設けられてなり、
前記可動式安全台外側のフロア面には衝撃吸収マットが敷設可能としてある、  
ことを特徴とするものである。
【発明の効果】
【００１６】
本発明の低床介護ベッド構造であれば、介護者の腰痛防止目的で最低必要高に形成された低床のベッド床及びそのベッド床の一側方から引き出し、前記ベッド床より一段低い高さに形成された可動式安全台を有し、さらにはベッド床における可動式安全台の引き出し側辺以外の三辺からは上方に立ち上がる襖または障子状の落下防止柵が設けられるが、ベッド床の長手方向一側辺側の落下防止柵は取り外され、ベッド使用者の視界を快適化でき、また、落下防止柵を襖または障子状にデザインすることにより、介護用のベッドであっても決して殺伐とした景色にならず、ベッド使用者がくつろぎの個室的な和風生活空間が得られるように工夫され、ベッド使用者が例えば寝返りを打ったりしてベッド床から可動式安全台側に転がったとしても、そのころがりの際に生ずる衝撃を緩和する安全スペース及びベッド床からフロア面までの中間踊り場的役割を果たすものとなり、またいわゆるダブルベッド的なゆったりした幅があって快適な居住環境も得られ、ベッド使用者にとってその安全性、快適性は一段と向上するものとなり、かつ介護時には介護者の介護を阻害することなく、充分に介護に専念できる介護環境が確保できるとの優れた効果を奏する。
【発明を実施するための最良の形態】
【００１７】
以下、本発明による低床介護ベッド構造の実施の形態を図面に基づいて説明する。
【実施例１】
【００１８】
本実施例による可動式安全台付き低床介護ベッド１は、介護者等の腰痛防止のための最低必要高、例えば３８センチメートル程度の低床ベッドに形成されたベッド床２を有する。
【００１９】
また、前記ベッド床２の幅方向一側方から引き出され、前記ベッド床２よりさらに一段低い高さに形成されてフロア面８にほとんど近い高さの可動式安全台３を有している。
【００２０】
ここで、図から理解されるように、前記ベッド床２における可動式安全台３が引き出されている側の側辺以外の側辺三辺からは各々上方に立ち上がる襖または障子状に形成された落下防止柵４が設けられている。
【００２１】
前記落下防止柵４は例えば檜材など木製で、しかも襖または障子状にデザインされて純日本風に形成されており、ベッド使用者（要介護者）にとって充分くつろぐことができる個室的な和風生活空間が得られるものとなっている。
【００２２】
ここで、襖または障子状をなす部分は、正方形状の枠体５・・を横方向に一列に並べて形成してあるが、この形状に限定されず、三角、菱形等の枠体形状にも構成出来、しかもそれを二列あるいは三列に並べて形成しても構わないものである。
【００２３】
すなわち、複数列に形成すれば、それだけいわゆる明かりとりが多くなり、ベッド内を明るく照らすことができる。
尚、図１乃至図２から理解されるように、ベッド床２における可動式安全台３が引き出されている側の側辺である側枠６側には落下防止柵４が設けられてはいない。すると、本発明による介護ベッドを使用するベッド使用者（要介護者）７は落下防止柵４が設けられない箇所が１カ所あるだけで全体として決して殺伐とした景色にならない、快適な視界が得られるベッド生活を送れるものとなる。
【００２４】
尚、ベッド床２と可動式安全台３とが若干の段差があったとしても、マットあるいは布団を敷設すればその段差はほとんど解消され、いわゆるダブルベッド的なゆったりした幅があって快適な居住環境も得られ、ベッド使用者７にとってその安全性、快適性は一段と向上するものとなっている。
【００２５】
さらに、可動式安全台３はベッド使用者７が例えば寝返りを打ったりしてベッド床２から可動式安全台３側にずれて転がったとしても、前記のようにベッド床２と可動式安全台３との段差があまり気にならないものであるため、そのころがりの際に生ずる衝撃を緩和する安全スペースとして機能するものとなっている。
【００２６】
また、可動式安全台３はベッド床２からフロア面８までのベッド使用者７の転倒から生ずるフロア面８への直接落下を予防する中間踊り場的役割を果たすものともなっており、さらには家族等来客者があったときに来客用ソファーとしても利用できる。これによりベッド使用者（要介護者）７との密接なスキンシップを図ることもできる。
【００２７】
また、可動式安全台３のさらに外側には例えばマットレス等衝撃吸収を目的とした敷設部材１２をフロア面８に直接敷設することもでき、これによりさらにベッド使用者７の安全を図ることが出来る様構成されている。
【００２８】
図４はベッド床２と可動式安全台３との接続状態を示すもので、低床のベッド床２の下側に可動式安全台３がスライド可能にされて収納自在となっており、通常大部分での使用のときは図１に示すように可動式安全台３が引き出されて使用される状態とされる。そして、ベッド使用者（要介護者）７が介護を受けるときには該可動式安全台３がベッド床２の下側に収納された状態で使用される。これにより介護時において可動式安全台３が介護者の邪魔になることがなく介護者はスムーズに介護に専念でき、良好な介護環境を提供できる。
ここで、ベッド床２の可動式安全台３接続側側面長手方向略中間位置下側には、前記可動式安全台３上に形成された走行路９上を走行すると共に前記ベッド床２の可動式安全台３接続側側面を補強保持して、ベッド床２にかかる荷重を保持する補強脚兼用ローラ１０を設けても構わない。図１に示すように、ベッド床２の可動式安全台３接続側側面は通常木製の側枠６として構成されており、この様に木製で幅が短く、かつ厚みも薄いときには、ベッド床２にかかる荷重を該側枠６だけで保持するのではなく補強脚兼用ローラ１０を設けて保持分担することが好ましい。尚、前記側枠６につき例えば鋼製など強度のある部材で形成すればベッド床２にかかる荷重を該側枠６だけで保持することができ、補強脚兼用ローラ１０を設ける必要はないとも言える。
【００２９】
さらに、図３に示す如く、ベッド床２の可動式安全台３の接続側を除く三辺側には襖または障子状をなす落下防止柵４と一体に形成された側壁状支持脚１１が各々設けられている。しかし、可動式安全台３との接続側には当該側壁状支持脚１１を設けることが出来ない。なぜなら可動式安全台３が接続されているからである。そのためこの箇所については、ベッド床２にかかる荷重を別途支持する部材を設けなければならない。そのように構成しなければ前述したようにベッド床２はベッド使用者７の荷重によって下側に撓んでしまうからである。
【００３０】
そこで、前記した補強脚兼用ローラ１０を取り付け、該補強脚兼用ローラ１０によって側壁状支持脚１１の機能をも果たすものとしているのである。
【００３１】
尚、符号１３は可動式安全台３の下側に取り付けられた走行ローラであり、可動式安全台３を引き出したり、収納したりする際に使用される。
【００３２】
そしてその際には、前記したベッド床２の下側に取り付けられた補強脚兼用ローラ１０は可動式安全台３の走行路９上を走行するため可動式安全台３の表面部分を傷つけることがない。そして、この走行路９の形成については何ら限定されないが、ステンレス部材等の金属部材を可動式安全台３の表面に取り付けることが考えられる。
【００３３】
また、ベッド床２については畳を使用した床面で構成してあり、この面からも要介護者にくつろぎの和風生活空間が与えられるようにしてある。
【産業上の利用可能性】
【００３４】
本発明において前記側壁状支持脚１１と落下防止柵４とを別体で構成し、襖障子状の落下防止柵を着脱式に構成すれば、さらにバラエティに富み、要介護者がよりくつろぐことが出来る介護ベッドを提供できる。
【図面の簡単な説明】
【００３５】
【図１】本発明による低床介護ベッド構造の構成を説明する構成説明図（その１）である。
【００３６】
【図２】本発明による低床介護ベッド構造の構成を説明する構成説明図（その２）である。
【００３７】
【図３】要介護者がズレ落ちて可動式安全台にころげた状態を説明する説明図である。
【００３８】
【図４】ベッド床と可動式安全台との接続状態を説明する構成説明図である。
【００３９】
【図５】従来の医療ベッドの構成を説明する構成説明図である。
【符号の説明】
【００４０】
１    可動式安全台付き低床介護ベッド
２    ベッド床
３    可動式安全台
４    落下防止柵
５    枠体
６    側枠
７    ベッド使用者
８    フロア面
９    走行路
１０  補強脚兼ローラ
１１  側壁状支持脚
１２  敷設部材
１３  走行ローラ    
【図１】
2005198797.tif 000003
【図２】
2005198797.tif 000004
【図３】
2005198797.tif 000005
【図４】
2005198797.tif 000006
【図５】
2005198797.tif 000007